(57)【要約】      （修正有）【課題】植物の表面に溜まっているほこりや汚れなどを拭き取るのに適する植物用清掃具を提供する。【解決手段】それぞれ略棒状になっていて一端が接続端１１１で互いに繋がっていると共に、反対側にある揺動端１１２が互いに接近することができる一対の揺動アーム１１を有する手持ち手段１と、一対の揺動アームに配置され、それぞれの揺動端の接近により互いに当接する一対の清掃部２１を有する清掃手段２とを備えている。【選択図】図１
0003206301.tif 000002
【実用新案登録請求の範囲】
【請求項１】
それぞれ略棒状になっていて該棒状の一端が接続端として互いに繋がっていると共に、前記一端の反対側にある揺動端が互いに接近することができる一対の揺動アームを有する手持ち手段と、
前記手持ち手段の前記一対の揺動アームに配置され、前記一対の揺動アームそれぞれの前記揺動端の接近により互いに当接することができる一対の清掃部を有する清掃手段と
を備えていることを特徴とする植物用清掃具。
【請求項２】
前記手持ち手段は、可撓性を有する成形材料から、前記一対の揺動アームそれぞれの前記接続端が繋がっている略Ｖ字形に成形されていることにより、それぞれの前記揺動端が互いに接近させる外力を受けると接近することができ、そして該外力がなくなるとその成形材料の可撓性で互いに離間する定位置に戻るようになっていることを特徴とする請求項１に記載の植物用清掃具。
【請求項３】
前記手持ち手段は、前記一対の揺動アームがそれぞれ略棒状体に形成され、該棒状体の一端が前記接続端として互いに枢接されていると共に、該枢接箇所に配置されている付勢手段をさらに備えることにより、それぞれの前記揺動端が互いに接近させる外力を受けると接近することができ、そして該外力がなくなると前記付勢手段からの付勢力で互いに離間する定位置に戻るようになっていることを特徴とする請求項１に記載の植物用清掃具。
【請求項４】
前記清掃手段が有する前記一対の清掃部は、互いに当接する際に互いに密接するように噛み合う当接面をそれぞれ有していることを特徴とする請求項１から請求項３のいずれか一項に記載の植物用清掃具。
【請求項５】
前記手持ち手段が有する前記一対の揺動アームは、それぞれの前記接続端と前記揺動端との間にあって、互いに向かい合う設置面を有しており、
前記清掃手段が有する前記一対の清掃部は、前記一対の揺動アームそれぞれの前記設置面に配置されていることを特徴とする請求項１から請求項４のいずれか一項に記載の植物用清掃具。
【請求項６】
前記手持ち手段が有する前記一対の揺動アームの前記設置面にそれぞれ取り付けられている一対の第１の接続部と、
前記一対の第１の接続部にそれぞれ接続することができ、且つ、前記清掃手段が有する前記一対の清掃部にそれぞれ取り付けられている一対の第２の接続部と、を有している接続手段を更に備えていることを特徴とする請求項５に記載の植物用清掃具。
【請求項７】
前記清掃手段が有する前記一対の清掃部は、いずれも前記第２の接続部に固定されているブラシ体を有し、該ブラシ体は、織布と不織布とスポンジと複数の刷毛とからなる材料群により選ばれるいずれか１つの材料を有していることを特徴とする請求項６に記載の植物用清掃具。
【請求項８】
前記手持ち手段が有する前記一対の揺動アームは、それぞれの前記接続端と前記揺動端との間にあって、互いに向かい合う設置面と、前記設置面の反対側にある外側面とを有しており、
前記清掃手段が有する前記一対の清掃部は、
第１の取付け状態と第２の取付け状態との互いに異なる２つの取付け状態で前記一対の揺動アームにそれぞれ取り外し可能に取り付けられることができる取付けユニットと、
前記取付けユニットに接続され、前記取付けユニットが前記第１の取付け状態で前記揺動アームに取り付けられている際、該揺動アームの前記設置面側に配置され、前記取付けユニットが前記第２の取付け状態で前記揺動アームに取り付けられている際、該揺動アームの前記外側面側に配置される第１の清掃ユニットと、
前記取付けユニットに接続され、前記取付けユニットが前記第１の取付け状態で前記揺動アームに取り付けられている際、該揺動アームの前記外側面側に配置され、前記取付けユニットが前記第２の取付け状態で前記揺動アームに取り付けられている際、該揺動アームの前記設置面側に配置される第２の清掃ユニットと、を有しており、
ことを特徴とする請求項１から請求項４のいずれか一項に記載の植物用清掃具。
【請求項９】
前記第１の清掃ユニットは、いずれも織布と不織布とスポンジと複数の刷毛とからなる材料群により選ばれるいずれか１つの材料を有しており、
前記第２の清掃ユニットは、いずれも前記材料群により選ばれ、且つ前記第１の清掃ユニットと異なる材料を有していることを特徴とする請求項８に記載の植物用清掃具。
【請求項１０】
前記手持ち手段が有する前記一対の揺動アームは、それぞれ、
前記接続端を有する基端部と、
前記揺動端を有する先端部と、
前記基端部と前記先端部との間に介在し、前記接続端側から前記揺動端側へ延伸する第１の軸線を回転軸とする前記先端部の回転を可能にするように構成されている第１の枢接部と、
を有していることを特徴とする請求項１に記載の植物用清掃具。
【請求項１１】
前記手持ち手段は、
前記一対の揺動アームそれぞれの前記揺動端の更なる離間を不可能にしてその離間の制止点を決定するように前記枢接箇所に配置される制止点決定部を更に有していることを特徴とする請求項３に記載の植物用清掃具。
【請求項１２】
前記手持ち手段は、
前記一対の揺動アームの互いの接続箇所に配置され、前記一対の揺動アームが互いに接近する方向と平行する第２の軸線を回転軸とする前記一対の揺動アームの相対回転を可能にするように構成されている第２の枢接部を更に有していることを特徴とする請求項１に記載の植物用清掃具。
【考案の詳細な説明】
【技術分野】
【０００１】
本考案は植物用清掃具に関し、特に植物の表面に溜まっているほこりや汚れなどを拭き取るのに適する植物用清掃具に関する。
【背景技術】
【０００２】
観葉植物の葉の手入れに関して、従来では例えば、雑巾やブラシ、またはティッシュペーパーなどを使用して植物の表面に溜まっているほこりや汚れなどを拭き取るのが普通であるが、専門器具は開発されていなかった。
【考案の概要】
【考案が解決しようとする課題】
【０００３】
本考案は観葉植物に限らず、花卉や樹木、または食用植物などを含む様々の植物の表面に溜まっているほこりや汚れなどを拭き取るのに適する植物用清掃具の提供を目的とする。
【課題を解決するための手段】
【０００４】
上記目的を達成すべく、本考案はそれぞれ略棒状になっていて該棒状の一端が接続端として互いに繋がっていると共に、前記一端の反対側にある揺動端が互いに接近することができる一対の揺動アームを有する手持ち手段と、前記手持ち手段の前記一対の揺動アームに配置され、前記一対の揺動アームそれぞれの前記揺動端の接近により互いに当接することができる一対の清掃部を有する清掃手段とを備えていることを特徴とする植物用清掃具を提供する。
【考案の効果】
【０００５】
上記のように、本考案の植物用清掃具は、それぞれ略棒状になっていて該棒状の一端が接続端として互いに繋がっていると共に、前記一端の反対側にある揺動端が互いに接近することができる一対の揺動アームを有する手持ち手段と、前記手持ち手段の前記一対の揺動アームに配置され、前記一対の揺動アームそれぞれの前記揺動端の接近により互いに当接することができる一対の清掃部を有する清掃手段とを備えているので、該一対の清掃部を植物の表面に当てて拭くことや、該一対の清掃部で植物の葉を挟んで表面に溜まっているほこりや汚れなどを取り除くことなどができる専門器具を提供している。
【図面の簡単な説明】
【０００６】
【図１】本考案の植物用清掃具の第１の実施形態の構成が示されている側面図である。
【図２】本考案の植物用清掃具の第１の実施形態の作動状態が示されている説明図である。
【図３】本考案の植物用清掃具の第１の実施形態の使用法が示されている説明図である。
【図４】本考案の植物用清掃具の第１の実施形態の使用法が示されている説明図である。
【図５】本考案の植物用清掃具の第１の実施形態の一つの変化例が示されている側面図である。
【図６】本考案の植物用清掃具の第１の実施形態の他の一つの変化例が示されている側面図である。
【図７】本考案の植物用清掃具の第２の実施形態の構成が示されている側面図である。
【図８】本考案の植物用清掃具の第２の実施形態の変化例が示されている側面図である。
【図９】本考案の植物用清掃具の第３の実施形態の構成が示されている側面図である。
【図１０】本考案の植物用清掃具の第４の実施形態の構成が示されている側面図である。
【図１１】本考案の植物用清掃具の第４の実施形態の使用法が示されている説明図である。
【図１２】本考案の植物用清掃具の第４の実施形態の変化状態が示されている説明図である。
【図１３】本考案の植物用清掃具の第５の実施形態の構成が示されている側面図である。
【図１４】本考案の植物用清掃具の第６の実施形態の構成が示されている側面図である。
【図１５】本考案の植物用清掃具の第７の実施形態の構成が示されている側面図である。
【考案を実施するための形態】
【０００７】
以下、本考案の各好ましい実施形態について添付図面を参照して説明する。
【０００８】
図１〜図４に本考案の植物用清掃具の第１の実施形態が示されており、図１はその構成が示されている側面図であり、図２はその作動状態が示されている説明図であり、図３及び図４はその使用法が示されている説明図である。更に、図５及び図６にこの第１の実施形態の変化例が示されている。
【０００９】
図示のように、本考案の植物用清掃具は、それぞれ略棒状になっていて該棒状の一端が接続端１１１として互いに繋がっていると共に、前記一端の反対側にある揺動端１１２が互いに接近することができる一対の揺動アーム１１を有する手持ち手段１と、手持ち手段１の一対の揺動アーム１１に配置され、該一対の揺動アーム１１それぞれの揺動端１１２の接近により互いに当接することができる一対の清掃部２１を有する清掃手段２とを備えている。
【００１０】
この第１の実施形態において、手持ち手段１は、可撓性を有する成形材料から、一対の揺動アーム１１それぞれの接続端１１１が繋がっている略Ｖ字形に成形されることにより、それぞれの揺動端１１２が互いに接近させる外力を受けると、図２に示されているように接近することができ、そして該外力がなくなるとその成形材料の可撓性で互いに離間する定位置（図２の点線）に戻るようになっている。
【００１１】
更に、手持ち手段１が有する一対の揺動アーム１１それぞれの接続端１１１と揺動端１１２との間には互いに向かい合う設置面１１３があり、清掃手段２が有する一対の清掃部２１は、一対の揺動アーム１１それぞれの設置面１１３に固定されている。
【００１２】
また、図１〜図４に示されているように、この実施形態において、一対の清掃部２１は、スポンジにより作成されたブラシ体を有しているが、スポンジ以外の材料を使用することも可能である。例えば図５には多数の刷毛を使用してブラシ体を構成する変化例が示されており、図６には一対の清掃部２１のブラシ体が互いに異なる形状を有し、互いに当接する際に互いに密接するように噛み合う当接面２１１をそれぞれ有している変化例が示されている。
【００１３】
この他、例えば織布や不織布を使用して清掃部を構成することも可能である。
【００１４】
上記構成により、本考案の植物用清掃具は図３及び図４に示されているように、例えば樹木や観葉植物の葉を一対の清掃部２１で挟んでから、その葉の生長方向（図３及び図４における矢印）に沿って手持ち手段１を動かすことで、その葉の表面に溜まっているほこりや汚れなどを取り除くことができる。
【００１５】
図７は本考案の植物用清掃具の第２の実施形態の構成が示されている側面図であり、図８はこの第２の実施形態の変化例が示されている側面図である。
【００１６】
図７及び図８に示されているように、この第２の実施形態において、手持ち手段１は、一対の揺動アーム１１がそれぞれ略棒状体に形成され、該棒状体の一端が接続端１１１として互いに枢接箇所Ｐに枢接されていると共に、該枢接箇所Ｐに配置されている付勢手段１２をさらに備えることにより、それぞれの揺動端１１２が互いに接近させる外力を受けると接近することができ、そして該外力がなくなると付勢手段１２からの付勢力で互いに離間する定位置に戻るようになっている。
【００１７】
そして付勢手段１２の構成に関しては、図７に示される圧縮コイルばねや、図８に示されるねじりばねが例示されているが、他の種類の付勢手段を使用することも当然可能である。
【００１８】
図９は本考案の植物用清掃具の第３の実施形態の構成が示されている側面図である。
【００１９】
図示のように、本考案の植物用清掃具の第３の実施形態は、手持ち手段１が有する一対の揺動アーム１１の設置面１１３にそれぞれ取り付けられている一対の第１の接続部３１と、清掃手段２が有する一対の清掃部２１にそれぞれ取り付けられていると共に、一対の第１の接続部３１にそれぞれ接続することができる一対の第２の接続部３２と、を有している接続手段３を更に備えている。
【００２０】
この構成により、清掃手段２が有する一対の清掃部２１は一対の揺動アーム１１から取り外して新しい清掃部２１または他の種類のブラシ体を有する清掃部２１に取り換えることができる。
【００２１】
なお、第１の接続部３１と第２の接続部３２としては、例えば面ファスナーを用いることができる。
【００２２】
図１０〜図１２に本考案の植物用清掃具の第４の実施形態が示されており、図１０はその構成及び第１の取付け状態が示されている側面図であり、図１１はその使用法が示されている説明図であり、図１２はその変化状態（第２の取付け状態）が示されている説明図である。
【００２３】
図示のように、本考案の植物用清掃具の第４の実施形態において、手持ち手段１が有する一対の揺動アーム１１は、設置面１１３の反対側にある外側面１１４を有し、清掃手段２が有する一対の清掃部２１は、取付けユニット２１３と、該取付けユニット２１３に接続されている第１の清掃ユニット２１４及び第２の清掃ユニット２１５を有し、第１の取付け状態と第２の取付け状態との間に切り替えることができる。
【００２４】
図１０及び図１２に示されているように、取付けユニット２１３は、図１０に示されている第１の取付け状態と、図１２に示されている第２の取付け状態との互いに異なる２つの取付け状態で一対の揺動アーム１１にそれぞれ取り外し可能に取り付けられることができるように、一対の揺動アーム１１により入れ子状に挿しこまれる管状体に形成されている。
【００２５】
第１の清掃ユニット２１４は、管状体に形成された取付けユニット２１３の一側に固定され、取付けユニット２１３が図１０に示されている第１の取付け状態で揺動アーム１１に取り付けられている際、該揺動アーム１１の設置面１１３側に配置され、取付けユニット２１３が図１２に示されている第２の取付け状態で揺動アーム１１に取り付けられている際、該揺動アーム１１の外側面１１４側に配置される。
【００２６】
第２の清掃ユニット２１５は、取付けユニット２１３の他側に固定され、取付けユニット２１３が図１０に示されている第１の取付け状態で揺動アーム１１に取り付けられている際、該揺動アーム１１の外側面１１４側に配置され、取付けユニット２１３が図１２に示されている第２の取付け状態で揺動アーム１１に取り付けられている際、該揺動アーム１１の設置面１１３側に配置される。
【００２７】
なお、この実施形態では、第１の清掃ユニット２１４は、スポンジにより構成されたブラシ体を有しており、そして第２の清掃ユニット２１５は、第１の清掃ユニット２１４と異なる材料、即ち複数の刷毛により構成されたブラシ体を有している。無論、第１の清掃ユニット２１４及び第２の清掃ユニット２１５は織布と不織布など他の材料により構成されたブラシ体を有するように構成されることも可能である。
【００２８】
この構成により、本考案の植物用清掃具の第４の実施形態は、図１１に示されているように、第１の取付け状態で揺動アーム１１の外側面１１４側に配置される第２の清掃ユニット２１５を植物の表面に当てて拭くことができる。無論、図１２に示されている第２の取付け状態に切り替えられると、揺動アーム１１の外側面１１４側に配置される第１の清掃ユニット２１４を植物の表面に当てて拭くこともできる。
【００２９】
図１３は本考案の植物用清掃具の第５の実施形態の構成が示されている側面図である。
【００３０】
図示のように、本考案の植物用清掃具の第５の実施形態において、手持ち手段１が有する一対の揺動アーム１１は、それぞれ接続端１１１を有する基端部１１５と、揺動端１１２を有する先端部１１７と、基端部１１５と先端部１１７との間に介在し、接続端１１１側から揺動端１１２側へ延伸する第１の軸線Ｌ１を回転軸とする先端部１１７の回転を可能にするように構成されている第１の枢接部１１６と、を有している。図中では第１の枢接部１１６として、基端部１１５から先端部１１７へ突起する軸棒と、先端部１１７側に設けられて該軸捧が嵌められる軸穴とが形成されているが、逆の構成、即ち先端部１１７から基端部１１５へ突起する構成や、周知の技術を用いた他の構成を採用することも可能である。
【００３１】
この構成により、本考案の植物用清掃具の第５の実施形態は、清掃部２１を揺動アーム１１から取り外すことなく、第１の軸線Ｌ１を回転軸とする先端部１１７の回転で第１の取付け状態と第２の取付け状態との間に切り替えることができる。
【００３２】
図１４は本考案の植物用清掃具の第６の実施形態の構成が示されている側面図である。
【００３３】
図示のように、本考案の植物用清掃具の第６の実施形態において、手持ち手段１は、一対の揺動アーム１１それぞれの揺動端１１２の更なる離間を不可能にしてその離間の制止点を決定するように枢接箇所Ｐに配置される制止点決定部１３を更に有している。
【００３４】
図１５は本考案の植物用清掃具の第７の実施形態の構成が示されている側面図である。
【００３５】
図示のように、本考案の植物用清掃具の第７の実施形態において、手持ち手段１は、一対の揺動アーム１１の互いの接続箇所に配置され、一対の揺動アーム１１が互いに接近する方向と平行する第２の軸線Ｌ２を回転軸とする一対の揺動アーム１１の相対回転を可能にするように構成されている第２の枢接部１４を更に有している。
【００３６】
この構成により、一対の揺動アーム１１の全長を伸ばして使用することができる。
【００３７】
以上は本考案の各好ましい実施形態を説明したが、本考案はこれに限定されるものではなく、その要旨を逸脱しない範囲で種々変更可能である。
【産業上の利用可能性】
【００３８】
上記構成により、本考案の植物用清掃具は、それぞれ略棒状になっていて該棒状の一端が接続端として互いに繋がっていると共に、前記一端の反対側にある揺動端が互いに接近することができる一対の揺動アームを有する手持ち手段と、前記手持ち手段の前記一対の揺動アームに配置され、前記一対の揺動アームそれぞれの前記揺動端の接近により互いに当接することができる一対の清掃部を有する清掃手段とを備えているので、互いに接近することができる揺動端を有する一対の揺動アームに配置される一対の清掃部を有する清掃手段を備えているので、該一対の清掃部を植物の表面に当てて拭くことや、植物の葉を挟んで表面に溜まっているほこりや汚れなどを取り除くことなどができる専門器具を提供し、特に観葉植物の葉の手入れにに適する便利な植物用清掃具を提供することができる。
【符号の説明】
【００３９】
１  手持ち手段
１１  揺動アーム
１１１  接続端
１１２  揺動端
１１３  設置面
１１４  外側面
１１５  基端部
１１６  第１の枢接部
１１７  先端部
１２  付勢手段
１３  制止点決定部
１４  第２の枢接部
２  清掃手段
２１  清掃部
２１３  取付けユニット
２１４  第１の清掃ユニット
２１５  第２の清掃ユニット
３  接続手段
３１  第１の接続部
３２  第２の接続部
Ｌ１  第１の軸線
Ｌ２  第２の軸線
Ｐ  枢接箇所
【図１】
0003206301.tif 000003
【図２】
0003206301.tif 000004
【図３】
0003206301.tif 000005
【図４】
0003206301.tif 000006
【図５】
0003206301.tif 000007
【図６】
0003206301.tif 000008
【図７】
0003206301.tif 000009
【図８】
0003206301.tif 000010
【図９】
0003206301.tif 000011
【図１０】
0003206301.tif 000012
【図１１】
0003206301.tif 000013
【図１２】
0003206301.tif 000014
【図１３】
0003206301.tif 000015
【図１４】
0003206301.tif 000016
【図１５】
0003206301.tif 000017